(57)【要約】【課題】音圧の低下を抑制し、且つ、水滴等の異物の侵入を防止できる電気式ホーンを提供する。【解決手段】本発明の電気式ホーン１は、通気性を有するとともに異物が通気路２５ｃ内（トランペット２５内）に侵入することを防止する侵入防止板２６が、トランペット２５の出口部２５ｂに予め設定された間隔を介して対向配置されたことを特徴とする。【選択図】図２
2009122272.tif 000002
【特許請求の範囲】
【請求項１】
ホーンハウジングと、
前記ホーンハウジングに外周端部が固定された振動板と、
前記ホーンハウジングに外周端部が固定され、前記振動板に対向配置され、中心部に開口部を有するフロントカバーと、
一端が前記開口部に接続される通気路の少なくとも一部を区画するとともに、前記通気路の一端よりなる入口部と他端よりなる出口部とを区画するトランペットと、
前記振動板の中心部に固定された可動鉄心と、
前記可動鉄心に対向配置された固定鉄心と、
前記可動鉄心を前記固定鉄心に吸引するコイルと、
前記コイルの通電回路に設けられた固定接点と、
前記固定接点を支持する固定接点支持板と、
前記固定接点に通常時は閉成する常閉型の可動接点と、
前記可動接点を支持する可動接点支持板と、
前記可動接点に設けられ、前記可動接点支持板を押圧する押圧部とを備え、
前記コイルの電磁力により前記可動鉄心が前記固定接点に吸引されるときに、前記押圧部により前記可動接点支持板を押圧し、前記可動接点を前記固定接点から開離させる電気式ホーンであって、
通気性を有するとともに異物が前記通気路内に侵入することを防止する侵入防止板が、前記トランペットの前記出口部に予め設定された間隔を介して対向配置されたことを特徴とする電気式ホーン。
【請求項２】
前記侵入防止板は、メッシュ部を有する請求項１に記載の電気式ホーン。
【請求項３】
前記侵入防止板は、
複数の第一通気孔が開口した板状の第一柵状部材と、
複数の第二通気孔が開口した板状の第二柵状部材と、
を有し、
前記第一柵状部材の表面の広がる方向に垂直な方向で、前記第一通気孔と前記第二通気孔とが重なり合わない状態で、前記第一柵状部材と前記第二柵状部材とが間隔を隔てて配置された請求項１または２に記載の電気式ホーン。
【請求項４】
前記第一柵状部材および前記第二柵状部材は、複数の棒状部材をそののびる方向が平行となる状態で配置してなる請求項３に記載の電気式ホーン。
【発明の詳細な説明】
【技術分野】
【０００１】
本発明は、電気式ホーン（警音器）に関するものである。
【背景技術】
【０００２】
電気式ホーンは、電磁力により振動する振動板により音圧を発生させ、トランペットを介して音（警笛等）を発する。つまり、振動板により発生した空気の振動は、トランペット内部の通気路を通って、電気式ホーン外部へ伝達される。
【０００３】
電気式ホーンは、例えば、車両に取り付けられる。この場合、雨水、走行時の飛沫、または、高圧洗車時の水流等の水滴が、トランペットの出口部からトランペット内部に侵入する可能性がある。トランペットの内部にこれら異物が侵入すると、音圧等が変化し、一時的に音が小さくなるなどの不具合が生じることがある。
【０００４】
そこで、実開平５−７１０４５号公報（特許文献１）には、水滴の侵入を防ぐことができるエアホーンが開示されている。このエアホーンは、レゾネータの出力端に、出力端と同形状の板状のキャップを、所定間隔を介して被せた構成となっている。
【特許文献１】実開平５−７１０４５号公報
【発明の開示】
【発明が解決しようとする課題】
【０００５】
しかしながら、上記エアホーンでは、出力端に板状のキャップが被せられた以上、通気路の出口部（出力端）の開口が非常に小さくなっていた。つまり、上記エアホーンでは、キャップ自体が音の伝達の大きな抵抗となっている。この結果、発生した音圧は、キャップにより大きく低下していた。特に、出力端のキャップを介した前方では、音圧の低下が顕著となるという問題もある。
【０００６】
電気式ホーンが警笛として用いられる場合、警笛音は、危険を知らせる等、交通社会において非常に重要である。つまり、音圧の低下は、極力抑えなければならない。その上で、水滴等の侵入を防止することが求められている。
【０００７】
また、上記エアホーンにおいて、音圧の低下を小さくするためには、出力端とキャップとの間隔を大きくすることが考えられる。しかし、当該間隔を大きくすると、その分、水滴等が侵入しやすくなるという問題がある。
【０００８】
本発明は、このような事情に鑑みてなされたものであり、音圧の低下を抑制し、且つ、水滴等の異物の侵入を防止できる電気式ホーンを提供することを目的とする。
【課題を解決するための手段】
【０００９】
本発明の電気式ホーンは、ホーンハウジングと、ホーンハウジングに外周端部が固定された振動板と、ホーンハウジングに外周端部が固定され、振動板に対向配置され、中心部に開口部を有するフロントカバーと、一端が開口部に接続される通気路の少なくとも一部を区画するとともに、通気路の一端よりなる入口部と他端よりなる出口部とを区画するトランペットと、振動板の中心部に固定された可動鉄心と、可動鉄心に対向配置された固定鉄心と、可動鉄心を固定鉄心に吸引するコイルと、コイルの通電回路に設けられた固定接点と、固定接点を支持する固定接点支持板と、固定接点に通常時は閉成する常閉型の可動接点と、可動接点を支持する可動接点支持板と、可動接点に設けられ、可動接点支持板を押圧する押圧部とを備え、コイルの電磁力により可動鉄心が固定接点に吸引されるときに、押圧部により可動接点支持板を押圧し、可動接点を固定接点から開離させる電気式ホーンであって、通気性を有するとともに異物が通気路内に侵入することを防止する侵入防止板が、トランペットの出口部に予め設定された間隔を介して対向配置されたことを特徴とする。
【００１０】
本発明の電気式ホーンは、トランペットの出口部に所定間隔を介して対向配置される侵入防止板を有している。侵入防止板は、異物のトランペット内部への侵入を防ぐことができる。さらに、侵入防止板は、通気性を有しており、その通気性を発揮する部分がトランペットの出口部から発せられる音を通すこととなり、音圧の低下を抑えることができる。
【００１１】
ここで、異物とは、トランペット内に侵入したときに音圧を低下させるものであり、例えば、雨水、車両走行時の飛沫、および、高圧洗車時の水流等による水滴を挙げることができる。
【００１２】
侵入防止板は、通気性を有し、異物の侵入を防止するものであればよく、例えば、メッシュ状（網状）、柵状、格子状に設けられた部材や、小さな通気孔を複数有するものが挙げられる。また、これらを組み合わせたものでもよい。
【００１３】
侵入防止板は、トランペットの出口部に間隔を介して対向配置される。この間隔により、侵入防止板とトランペットの出口部の間には隙間が存在する。この隙間を出口部から発せられた音が通ることとなる。これにより、本発明の電気式ホーンは、音圧の低下が抑制される。
【００１４】
ここで、本発明の電気式ホーンでは、侵入防止板が通気性を有するため、出口部と侵入防止板との間隔をより小さく設定することが可能となる。つまり、通気性により音圧の低下が抑制されるため、侵入防止板をトランペットの出口部により近づけて配置することができる。従って、電気式ホーンの小型化が可能となる。さらに、当該間隔によってできる隙間からの異物の侵入も抑えることができ、通気路内への異物の侵入をさらに防止することができる。
【００１５】
なお、当該間隔は、電気式ホーンの大きさ、出力、および、侵入防止板の構成等により適宜変更可能であり、一概には決定されない。好ましくは、１０ｍｍ以下である。
【００１６】
ここで、侵入防止板は、メッシュ部を有することが好ましい。メッシュ部とは、メッシュ状（網状）に形成された部分である。メッシュ部は、メッシュ状であるため、通気性を有すると共に、異物の通過を防止する。侵入防止板がメッシュ部を有する場合に、メッシュ部は、侵入防止板のほぼ全面（出口部の全面）にわたって形成されることが好ましい。
【００１７】
ここで、メッシュ部のメッシュサイズは、１５０メッシュ以上であることがより好ましい。メッシュサイズとは、１平方インチ当たりの網目の数である（単位：メッシュ／２．５４ｃｍ）。これにより、より確実に異物の侵入を防止できる。メッシュサイズが大きくなるほど、網目が小さくなるため、より小さな異物の通過を防止できるようになる。
【００１８】
また、メッシュ部のメッシュサイズは、３００メッシュ以下であることがより好ましい。これにより、音圧の減衰量は小さいのもとなる。メッシュサイズが小さくなるほど、メッシュ部に占める網目の面積が大きくなるため、網による音圧の減衰量が小さくなる。そして、２５０メッシュ以下となることで、音圧の減衰量を、１ｄＢ以下とすることができる。
【００１９】
従って、メッシュ部のメッシュサイズは、１５０メッシュ以上３００メッシュ以下であることがより好ましい。これにより、音圧の低下を十分に抑制し、且つ、異物の侵入をより確実に防止できる。なお、メッシュ部のメッシュサイズを、２００メッシュ以上３００メッシュ未満にすることで、さらに確実に上記効果を発揮することができる。
【００２０】
一方、侵入防止板は、複数の第一通気孔が開口した板状の第一柵状部材と、複数の第二通気孔が開口した板状の第二柵状部材とを有し、第一柵状部材の表面の広がる方向に垂直な方向で、第一通気孔と第二通気孔とが重なり合わない状態で、第一柵状部材と第二柵状部材とが間隔を隔てて配置されたものでもよい。
【００２１】
これにより、侵入防止板は、その垂直方向に貫通する部位がない構成となる。このような構成では、正面からの異物は、第一柵状部材または第二柵状部材の通気孔でない部分に当たる。この結果、侵入防止板は、その前方（垂直方向）からの異物の侵入を確実に防ぐことができる。そして、それぞれ通気孔を有する第一柵状部材と第二柵状部材との間には、隙間が設けられている。従って、空気は、侵入防止板の各通気孔および間隔を通ることができる。つまり、侵入防止板は、通気性を有し、音を通すことができるため、音圧の低下を抑制することができる。
【００２２】
また、この場合において、第一柵状部材および第二柵状部材は、複数の棒状部材をそののびる方向が平行となるよう配置して形成されてもよい。この場合、隣り合う棒状部材の間がそれぞれ通気孔となる。これにより、上記効果に加えて、侵入防止板が容易に製造可能となる。この構成によれば、例えば、第一柵状部材および第二柵状部材の製造において、単に棒状部材を平行に配置するだけでも製造可能となる。
【００２３】
このように、本発明の電気式ホーンは、侵入防止板を備えることにより、音圧の低下を抑制すると共に、異物の侵入をより確実に防ぐことができる。
【発明の効果】
【００２４】
本発明の電気式ホーンによれば、音圧の低下を抑制すると共に、水滴等の異物の侵入を防止することができる。
【発明を実施するための最良の形態】
【００２５】
次に、実施形態を挙げ、本発明をより詳しく説明する。本実施形態では、車両用電気式ホーンを例に挙げて説明する。
【００２６】
（第一実施形態）
第一実施形態の電気式ホーン１について、図１を参照して説明する。図１は、電気式ホーン１の断面図である。図２は、図１の上から見た電気式ホーン１を示す図である。図３は、図２の下から見た侵入防止板２６を示す図である。
【００２７】
まず、電気式ホーン１の全体構成について図１および図２を参照して説明する。１０はホーンハウジングであり、振動板１１を振動させる電磁石１２を収容するものである。ホーンハウジング１０および振動板１１は電磁石１２の磁気回路の一部を構成するために、鉄系の磁性体材料の板材を凹形状にプレス成形されている。
【００２８】
電磁石１２には、樹脂製のボビン１３に巻回されたコイル１４が備えられており、このボビン１３の中心穴部に円柱状の形状に成形された可動鉄心１５の下部が配置されている。この可動鉄心１５の上部の小径部１５ａには、振動板１１の中央部がかしめ固定されている。振動板１１の外周端部１１ａはその全周にわたってホーンハウジング１０の外周端部のフランジ部１０ａに巻き締め固定されている。
【００２９】
フロントカバー２４の外周端部２４ａは、その全周にわたってホーンハウジング１０のフランジ部１０ａに、振動板１１の外周端部１１ａの上から重ねるように巻き締め固定されている。つまり、フロントカバー２４は、振動板１１に対向配置されている。フロントカバー２４の中心部には、開口部２４ａが設けられている。
【００３０】
トランペット２５の下部外周端部２５ｃは、ホーンハウジング１０のフランジ部１０ａに各外周端部１１ａ、２４ａを介して嵌合され、固定されている。トランペット２５は、フロントカバー２４に固定され、フロントカバー２４とで通気路２５ｃを区画する。トランペット２５は、通気路２５ｃ一端の一部を区画する入口部２５ａと、通気路２５ｃ他端を区画する出口部２５ｂとを有している。通気路２５ｃは、入口部２５ａを中心とした渦巻き状に区画されている。そして、入口部２５ａはフロントカバー２４の開口部２４ａに接続され、出口部２５ｂは入口部２５ａから外方に向かって開口している。
【００３１】
従って、フロントカバー２４の開口部２４ａから伝えられる空気の振動は、通気路２５ｃを介して、外方に伝達される。なお、通気路２５ｃはいわゆるトランペット状であり、流路断面積が入口部２５ａから出口部２５ｂの開口端に向かって徐々に大きくなっている。また、トランペット２５の出口部２５ｂの外周面には、係合溝（図示せず）が設けられている。ただし、トランペット２５の形状および内部形状は、上記に限られるものではない。また、出口部２５ｂは、渦巻きの径方向または軸方向に向かって開口していてもよい。
【００３２】
ホーンハウジング１０の凹形状の中間平坦部１０ｂには、ボビン１３の上側鍔部１３ａから径外方へ突出している突出部１３ｂ、金属ばね材からなる可動接点支持板１７、固定接点支持板１８、および両接点支持板１７、１８の間に介在される絶縁部材１９を積層して、これらの部材を金属製リベット２０により中間平坦部１０ｂ上にかしめ固定してある。
【００３３】
ここで、絶縁部材１９は樹脂板材にて形成され、可動接点支持板１７の略全長にわたって可動接点支持板１７の上面に積層配置されている。また、固定接点支持板１８は比較的変形しやすい鉄系の導体金属、例えば、冷間圧延鋼板（低炭素鋼）の板材で形成している。
【００３４】
可動接点支持板１７には可動接点１７ａを、また、固定接点支持板１８には固定接点１８ａをそれぞれ固着してある。可動接点１７ａは、通常時（コイル１４の非通電時）は可動接点支持板１７の弾性変形によるばね力により固定接点１８ａに圧着する常閉型の接点である。
【００３５】
可動鉄心１５の軸方向中間部の外周面には径外方へ突き出すリング状のフランジ部１５ｂが冷鍛加工等により一体成形されており、そして、可動鉄心１５のうち、このフランジ部１５ｂは、可動接点支持板１７のうちホーン中心部寄りの部位を下方へ押圧する押圧部を構成する。
【００３６】
電気式ホーン１では、コイル１４の電磁力により、可動鉄心１５が固定接点１８ａに吸引されるときに、可動鉄心１５のフランジ部１５ｂ（押圧部）により可動接点支持板１７を押圧し、可動接点１７ａを固定接点１８ａから開離させる。可動鉄心１５の振動に伴い、振動板１１が振動し、空気振動をフロントカバー２４の開口部２４ａからトランペット２５内部（通気路２５ｃ）へ伝達する。
【００３７】
電磁石１２のボビン１３の中心穴部内に、固定鉄心２１が可動鉄心１５の下部端面に対して所定の吸引間隔を介して対向配置される。この固定鉄心２１は、ホーンハウジング１０の底面部１０ｃの中心部にかしめ等の手段により固定される。固定鉄心２１にはホーンハウジング１０の底面部１０ｃの外部へ突出する雄ねじ部２１ａが一体に形成されており、この雄ねじ部２１ａに車体への取付ステー２２がナット２３により締め付け固定されている。
【００３８】
なお、コイル１４の一端部はホーンハウジング１０の外側に配置される図示しないコネクタ部の端子片に電気的に接続され、コイル１４の他端部は可動接点支持板１７に電気的に接続される。固定接点支持板１８は金属製リベット２０を介してホーンハウジング１０に電気的に接続され、さらに、ホーンハウジング１０に固定される固定鉄心２１および取付ステー２２を介して車両の車体に接地されるようになっている。
【００３９】
トランペット２５の出口部２５ｂには、侵入防止板２６が固定部２７により取り付けられている。ここで、侵入防止板２６について図２および図３を参照して説明する。図３に示すように、侵入防止板２６は、メッシュ部２６ａと、フレーム部２６ｂとを有している。メッシュ部２６ａは、全面にメッシュが設けられた略四角形の板であり、そのメッシュサイズは２５０メッシュとなっている。
【００４０】
フレーム部２６ｂは、枠状部２６ｃと、十字状部２６ｄとからなっている。枠状部２６ｃは、出口部２５ｂの開口より僅かに大きい略四角形の枠状であり、内周縁の各頂点が緩やかに湾曲している。十字状部２６ｄは、十字の板状であり、枠状部２６ｃの内周縁に一体的に設けられている。メッシュ部２６ａは、枠状部２６ｃの湾曲した四隅と十字状部２６ｄとによる挟持および接着等により、フレーム部２６ｂに支持されている。
【００４１】
図２に示すように、固定部２７は、板状部２７ａと、爪部２７ｂとを有している。板状部２７ａは、板状であり、一端が枠状部２６ｃに接続されており、他端が爪部２７ｂに一体的に接続されている。爪部２７ｂは、２枚の板状部材からなり、一方の板状部材には他方の板状部材に向けて突出する爪が設けられている。固定部２７は、出口部２５ｂに向かって、枠状部２６ｃの対向する２辺のそれぞれに設けられている。
【００４２】
固定部２７の爪部２７ｂは、トランペット２５の出口部２５ｂを２枚の板状部材で挟持し、係合溝（図示せず）に係合している。すなわち、侵入防止板２６は、トランペット２５の出口部２５ｂに予め設定された間隔を介して対向配置されている。第一実施形態では、この間隔を１０ｍｍに設定している。図２に示すように、侵入防止板２６は、出口部２５ｂの開口端全面に対して対向配置されている。
【００４３】
メッシュ部２６ａは、空気（音）を通し、且つ、水滴等の異物の侵入を防止する優れたネット機能を有している。従って、侵入防止板２６は、通気性を有し、且つ、異物のトランペット２５内（通気路２５ｃ内）への侵入を防止する。
【００４４】
ここで、電気式ホーン１の車両への取り付け例について説明する。電気式ホーン１は、例えば、取付ステー２２が上方側、トランペット２５の出口部２５ｂが下方側となる状態で車両に取り付けられる。この場合、本実施形態では、出口部２５ｂが車両下方に向かって開口する。
【００４５】
次に、メッシュ部２６ａのメッシュサイズの最適試験について、図４および図５を参照して説明する。図４は、メッシュ部２６ａのメッシュサイズ（メッシュ）と音圧（ｄＢ（Ａ））との関係を示す図である。図５は、メッシュ部２６ａのメッシュサイズ（メッシュ）と音圧減衰量（ｄＢ（Ａ））の関係を示す図である。
【００４６】
最適試験は、メッシュ部２６ａのメッシュサイズを変更して行われる。まず、各メッシュサイズにおける音圧（ｄＢ（Ａ））を測定する。この音圧測定において、音圧測定器とトランペット２５の出口部２５ｂの開口端との距離は、２ｍである。音圧の測定値は、２回の測定の平均値で示されている。また、侵入防止板２６と出口部２５ｂの開口端との間隔は、１０ｍｍである。当該測定は、車両搭載に規定された音圧測定試験と同様の条件で行われている。
【００４７】
図４に示すように、侵入防止板２６がない状態の音圧は、１１１．５（ｄＢ（Ａ））となる。そして、１５０メッシュでは、１１１（ｄＢ（Ａ））となる。１７５メッシュでは、１１０．９（ｄＢ（Ａ））となる。２００メッシュでは、１１０．７５（ｄＢ（Ａ））となる。２５０メッシュでは、１１０．６５（ｄＢ（Ａ））となる。３００メッシュでは、１１０．１（ｄＢ（Ａ））となる。なお、フレーム部２６ｂのみの場合（メッシュ部２６ａがない状態）、音圧は１１１．１９（ｄＢ（Ａ））となる。このように、メッシュサイズが大きくなるにつれて音圧が低下することが分かる。
【００４８】
ここで、各メッシュサイズにおける音圧減衰量は、図５に示すとおりとなる。すなわち、フレーム部２６ｂのみの場合、０．３１（ｄＢ（Ａ））となる。１５０メッシュでは、０．５（ｄＢ（Ａ））となる。１７５メッシュでは、０．６（ｄＢ（Ａ））となる。２００メッシュでは、０．７５（ｄＢ（Ａ））となる。２５０メッシュでは、０．８５（ｄＢ（Ａ））となる。３００メッシュでは、１．４０（ｄＢ（Ａ））となる。このように、メッシュサイズが大きくなるにつれて音圧減衰量が増大することが分かる。
【００４９】
なお、音圧が法規制で定められていることから、侵入防止板２６の装着による音圧減衰量は、極力小さいことが望ましい。従って、メッシュ部２６ａのメッシュサイズは、２５０メッシュ以下であることがより好ましい。これにより、音圧減衰量を１ｄＢ以下に抑えることができる。
【００５０】
続いて、各メッシュサイズにおいて、異物の侵入試験を行う。この試験は、電気式ホーン１の侵入防止板２６に向かって高圧水流（８０ＭＰａ）を吹き付けることによって行う。高圧水流源は、侵入防止板２６に０．５ｍの間隔を介して対向配置される。当該侵入試験は、異物において、最も侵入の可能性があると予想される高圧洗浄時を想定して行われる。ここでは、高圧洗車機のノズルを高圧水流源としている。
【００５１】
この試験によれば、メッシュサイズが２５０メッシュ以上である場合、トランペット２５の内部（通気路２５ｃ）に水滴が侵入せず、異物の侵入をより確実に防止することができた。なお、１５０、１７５、２００メッシュであっても、異物の侵入を防止する機能は発揮され、２５０メッシュに近づくほど防止精度は向上した。
【００５２】
以上、音圧測定および侵入試験によれば、メッシュサイズは、音圧減衰量の観点から３００メッシュ以下がよく、異物侵入防止の観点から１５０メッシュ以上がよい。つまり、メッシュ部２６ａのメッシュサイズを、１５０メッシュ以上３００メッシュ以下に設定することが好ましい。
【００５３】
さらに好ましくは、メッシュサイズが、２００メッシュ以上２５０メッシュ以下である。こうすることにより、音圧の低下が十分に抑制されるうえ、異物の侵入がより確実に防止される。また、図５より、メッシュサイズが２５０メッシュより大きく３００メッシュ未満でも、音圧減衰量が１ｄＢ以下となるメッシュサイズがあると考えられ、この場合、上記同様の効果を得ることができる。つまり、メッシュサイズは、２５０メッシュ付近（２００メッシュ以上３００メッシュ未満）がより好ましい。ここで、第一実施形態の侵入防止板２６は、メッシュ部２６ａのメッシュサイズが２５０メッシュであり、音圧の低下を十分抑制し、且つ、異物の侵入をより確実に防止することができる。
【００５４】
第一実施形態の電気式ホーン１によれば、トランペット２５の出口部２５ｂに侵入防止板２６を設けることにより、音圧の低下を抑制し、且つ、異物の通気路２５ｃへの侵入を防止することができる。
【００５５】
なお、侵入防止板２６の配置方法は、上記に限られるものではない。つまり、固定部２７は、侵入防止板２６を出口部２５ｂに通気可能に所定間隔を介して対向配置させるものであればよい。また、例えば、侵入防止板２６は、出口部２５ｂに固定されていてもよい。この場合、固定部２７が出口部２５ｂに形成される。この場合であっても、上記と同様の効果を奏する。
【００５６】
また、侵入防止板２６と出口部２５ｂの開口端との間隔は、設定により変更可能であり、侵入防止板２６が通気性を有するため、当該間隔を小さくすることができる。従って、電気式ホーン１の小型化およびさらなる異物の侵入防止が可能である。
【００５７】
（第二実施形態）
第二実施形態の電気式ホーンは、第一実施形態の電気式ホーン１の侵入防止板２６の形状を変更したものである。従って、侵入防止板以外は電気式ホーン１と同様であり、ここでは、本実施形態の侵入防止板１２６について、図６および図７を参照して説明する。図６は、図３と同様に示した図である。図７は、図６のＡ−Ａ線での断面図である。
【００５８】
図６および図７に示すように、侵入防止板１２６は、第一柵状部材１３０と、第二柵状部材１４０と、接続部１５０とを備えている。第一柵状部材１３０は、複数の第一通気孔１３２が開口した板状の部材からなっている。詳細には、第一柵状部材１３０は、複数の短冊状の棒状部材１３１を短冊の幅と同じ間隔で均等に隔てた状態で、棒状部材１３１ののびる方向が平行となるよう形成されている。第二柵状部材１４０は、複数の第二通気孔１４２が開口した板状の部材であり、第一柵状部材１３０同様にして形成されている。
【００５９】
接続部１５０は、平行な２つの棒状部材１５１、１５２からなり、第一柵状部１３０と第二柵状部１４０とを間隔を隔てた状態で固定している。詳細には、一方の棒状部材１５１が第一柵状部材１３０の一端側（図６の上側）と第二柵状部材１４０の一端側（図６の上側）とを固定し、他方の棒状部材１５２が第一柵状部材１３０の他端側（図６の下側）と第二柵状部材１４０の他端側（図６の下側）とを固定している。つまり、第一柵状部材１３０と第二柵状部材１４０とは、各棒状部材１３１、１４１が互いに平行になるように、間隔をあけて対向配置されている。
【００６０】
さらに、第一柵状部材１３０の表面の広がる方向に垂直な方向（図７の上下方向）において、第一通気孔１３２と第二通気孔１４２とが重なり合わないように対向配置されている。つまり、第一柵状部材１３０に垂直な方向において、第一通気孔１３２は棒状部材１４１に対向し、第二通気孔１４２は棒状部材１３１に対向している。ここで、第一柵状部材に垂直な方向で、棒状部材１３１と棒状部材１４１が一部重なり合うことがより好ましい。
【００６１】
なお、第二実施形態において、固定部２７は、第一柵状部材１３０の両端の棒状部材１３１に設けられている。そして、固定部２７は、第一実施形態と同様に侵入防止板１２６を出口部２５ｂに固定している。
【００６２】
これにより、侵入防止板１２６は、出口部２５ｂの開口に対向する方向において、開口を完全に塞ぎ、異物の侵入をより確実に防止する。特に、侵入防止板１２６の垂直方向からの異物の侵入に対して、優れた侵入防止効果を発揮する。
【００６３】
さらに、侵入防止板１２６は、第一通気孔１３２、第二通気孔１４２、および、第一柵状部材１３０と第二柵状部材１４０との間隔により、空気を通すことができる。従って、侵入防止板１２６は、通気性を有し、音圧の低下を抑制することができる。
【００６４】
すなわち、第二実施形態の電気式ホーンによれば、侵入防止板１２６により、音圧の低下を抑制し、且つ、異物のトランペット２５内部への侵入をさらに防止することができる。
【００６５】
（変形形態）
ここで、電気式ホーン１の侵入防止板として、第一実施形態の侵入防止板２６と第二実施形態の侵入防止板１２６とを組み合わせて形成した侵入防止板を配設してもよい。これは、メッシュ部２６ａと各柵状部材１３０，１４０を組み合わせたものでもよい。
【００６６】
例えば、侵入防止板２６と侵入防止板１２６とを重ね合わせて形成した侵入防止板であってもよい。また、メッシュ部２６ａと第一柵状部材１３０とからなり、メッシュ部２６ａが第一通気孔１３２に設けられた侵入防止板であってもよい。組み合わせ方は、上記に限られない。
【００６７】
これら変形形態であっても、電気式ホーン１は、音圧の低下を抑制し、且つ、異物のトランペット２５内部への侵入を防止することができる。
【図面の簡単な説明】
【００６８】
【図１】電気式ホーン１の断面図である。
【図２】図１の上から見た電気式ホーン１を示す図である。
【図３】図２の下から見た侵入防止板２６を示す図である。
【図４】メッシュ部２６ａのメッシュサイズと音圧との関係を示す図である。
【図５】メッシュ部２６ａのメッシュサイズと音圧減衰量の関係を示す図である。
【図６】図３と同様に示した図である。
【図７】図６のＡ−Ａ線での断面図である。
【符号の説明】
【００６９】
１：電気式ホーン、
１０：ホーンハウジング、１１：振動板、１２：電磁石、１３：ボビン、１４：コイル、
１５：可動鉄心、１７：可動接点支持板、１７ａ：可動接点、１８：固定接点支持板、
１８ａ：固定接点、１９：絶縁部材、２０：金属製リベット、２１：固定鉄心、
２２：取付ステー、２３：ナット、２４：フロントカバー、２４ａ：開口部、
２５：トランペット、２５ａ：入口部、２５ｂ：出口部、
２６：侵入防止板、２６ａ：メッシュ部、２６ｂ：フレーム部、２７：固定部、
１２６：侵入防止板、
１３０：第一柵状部材、１３１：棒状部材、１３２：第一通気孔、
１４０：第二柵状部材、１４１：棒状部材、１４２：第二通気孔
【図１】
2009122272.tif 000003
【図２】
2009122272.tif 000004
【図３】
2009122272.tif 000005
【図４】
2009122272.tif 000006
【図５】
2009122272.tif 000007
【図６】
2009122272.tif 000008
【図７】
2009122272.tif 000009